(57)【要約】      （修正有）【課題】犬にとって少ない負担で大きな冷涼感を与えることができる犬用保冷体を提供する。【解決手段】犬用保冷体１０は、後面に保冷材挿入用のポケットを備えた収納部１１と、収納部１１の下縁部１６の右側及び左側にそれぞれ設けられた右被係止部及び左被係止部と、収納部１１の上端右側に一端４１が接続された右帯状部１２と、収納部１１の上端左側に一端４２が接続された左帯状部１３と、右及び左帯状部１２、１３の他端側に設けられ、収納部１１を装着対象の犬の首下に吊り下げた状態において、右及び左帯状部１２、１３の他端側を後方へ延ばして犬の背中を越えてさらに犬の左及び右前足の付け根の後側近傍を通した後、犬の左及び右前足と右及び左前足との間で収納部１１の左及び右被係止部に係止される、右及び左係止部と、を有する。【選択図】図５
0003234101.tif 000002
【実用新案登録請求の範囲】
【請求項１】
後面に保冷材挿入用のポケットを備えた収納部と、
前記収納部の下縁部の右側及び左側にそれぞれ設けられた右被係止部及び左被係止部と、
前記収納部の上端右側に一端が接続された第１帯状部と、
前記収納部の上端左側に一端が接続された第２帯状部と、
前記第１帯状部の他端側に設けられ、前記収納部を装着対象の犬の首下に吊り下げた状態において、当該第１帯状部の他端側を後方へ延ばして前記犬の背中を越えてさらに前記犬の左前足の付け根の後側近傍を通した後、当該犬の左前足と右前足との間で前記収納部の前記左被係止部に係止される、第１係止部と、
前記第２帯状部の他端側に設けられ、前記収納部を前記装着対象の犬の首下に吊り下げた状態において、当該第２帯状部の他端側を後方へ延ばして前記犬の背中を越えて前記第１帯状部と交差した後さらに前記犬の右前足の付け根の後側近傍を通した後、当該犬の右前足と左前足との間で前記収納部の前記右被係止部に係止される、第２係止部と、
を有する犬用保冷体であって、
前記収納部は、
前記第１係止部が前記左被係止部に係止されるとともに前記第２係止部が前記右被係止部に係止された係止状態で、前記犬の首下に保持される上縁部と、
前記係止状態で前記犬の前記右前足と前記左前足との間に保持される下縁部と、
を備え、
前記ポケットは、
前記係止状態で前記犬の胸部に略密着する密着面を備える
ことを特徴とする犬用保冷体。
【請求項２】
請求項１記載の犬用保冷体において、
前記収納部の前側の前記上縁部である前縁部に引き通された第１ゴム部材と、
前記収納部の後側の前記上縁部である後縁部に引き通され、前記第１ゴム部材と連結されることで当該第１ゴム部材とともに１つの環状ゴム部材を形成する第２ゴム部材と、
を有することを特徴とする犬用保冷体。
【請求項３】
請求項２記載の犬用保冷体において、
前記収納部は、
前部材と、
前記前部材とは別体に構成され前記ポケットを有する袋部材であって、少なくとも右端及び左端が前記第１及び第２帯状部若しくは前記前部材に縫着された前記袋部材であり、
前記袋部材は、
前記第２ゴム部材が引き通される前記後縁部を備えている
ことを特徴とする犬用保冷体。
【請求項４】
請求項３記載の犬用保冷体において、
前記第１帯状部は、
長さ方向の複数個所に前記第１係止部を有しており、
前記第２帯状部は、
長さ方向の複数個所に前記第２係止部を有している
ことを特徴とする犬用保冷体。
【考案の詳細な説明】
【技術分野】
【０００１】
本考案は、犬用保冷体に関する。
【背景技術】
【０００２】
従来、特許文献１においては、暑さによるペットへの負担を、首を冷やすことにより軽減をすることができるペットの首用保冷具が知られている。この従来技術の首用保冷具は、特許文献１の図１等に示すように、ドーナツ状で、本体１の内側面のポケット２ａ、２ｂに保冷材３を入れて使用される。
【先行技術文献】
【特許文献】
【０００３】
【特許文献１】実用新案登録第３１８６８７２号公報
【考案の概要】
【考案が解決しようとする課題】
【０００４】
上記首用保冷具は、単に犬の首に巻くだけであるため、犬に与える冷涼感が少ない。また、全荷重が首にかかるために、犬の負担が大きくなってしまう。
【０００５】
本考案の目的は、犬にとって少ない負担で大きな冷涼感を与えることができる犬用保冷体を提供することにある。
【課題を解決するための手段】
【０００６】
上記目的を達成するために、本願考案は、後面に保冷材挿入用のポケットを備えた収納部と、前記収納部の下縁部の右側及び左側にそれぞれ設けられた右被係止部及び左被係止部と、前記収納部の上端右側に一端が接続された第１帯状部と、前記収納部の上端左側に一端が接続された第２帯状部と、前記第１帯状部の他端側に設けられ、前記収納部を装着対象の犬の首下に吊り下げた状態において、当該第１帯状部の他端側を後方へ延ばして前記犬の背中を越えてさらに前記犬の左前足の付け根の後側近傍を通した後、当該犬の左前足と右前足との間で前記収納部の前記左被係止部に係止される、第１係止部と、前記第２帯状部の他端側に設けられ、前記収納部を装着対象の犬の首下に吊り下げた状態において、当該第２帯状部の他端側を後方へ延ばして前記犬の背中を越えて前記第１帯状部と交差した後さらに前記犬の右前足の付け根の後側近傍を通した後、当該犬の右前足と左前足との間で前記収納部の前記右被係止部に係止される、第２係止部と、を有する犬用保冷体であって、前記収納部は、前記第１係止部が前記左被係止部に係止されるとともに前記第２係止部が前記右被係止部に係止された係止状態で、前記犬の首下に保持される上縁部と、前記係止状態で前記犬の前記右前足と前記左前足との間に保持される下縁部と、を備え、前記ポケットは、前記係止状態で前記犬の胸部に略密着する密着面を備えることを特徴としている。
【０００７】
収納部の上縁部からの２つの右帯状部及び左帯状部が背中から腹部を回りこんで収納部の下縁部に戻ることで、収納部が犬の胸部に確実に静置され、収納部の上縁部が犬の首下に保持される。また、収納部の下縁部は、両足の間に保持され、かつ後面は犬の胸部に略密着する。これにより、ポケットに入れた保冷材によって、暑い季節でも犬に確実に冷涼感を与えることができる。
【０００８】
このとき、２つの右帯状部及び左帯状部が背中側で交差して反対側へ回り込む構成であることにより、走ったり駆けまわったり等の犬の種々の姿勢にも柔軟に対応しつつ、犬の胸部に対し効果的に保冷材の冷涼感を与えることができる。また、上記構成により、比較的少ない締め付けで装着することができるので、犬が嫌がることがなく簡単に装着及び取り外しを行うことができ、さらに首だけに巻いたベルトで保冷材を保持する構造に比べ、犬の首にかかる荷重を軽くでき、犬にとっての負担を軽減することができる。
【考案の効果】
【０００９】
本考案によれば、犬にとって少ない負担で大きな冷涼感を与えることができる。
【図面の簡単な説明】
【００１０】
【図１】犬用保冷体を装着した犬を前側から示す図である。
【図２】犬用保冷体を装着した犬を左側から示す図である。
【図３】犬用保冷体を装着した犬を左上側から示す図である。
【図４】犬用保冷体を装着した犬を右後上側から示す図である。
【図５】犬に装着された状態の犬用保冷体単体を上側から示す図である。
【図６】犬用保冷体の前面を示す図である。
【図７】犬用保冷体の後面を示す図である。
【図８】犬用保冷体の特に収納部を上側から示す図である。
【図９】犬用保冷体の特に収納部を上側から示す他の図である。
【考案を実施するための形態】
【００１１】
以下、本考案の一実施形態を図面を参照して説明する。以下の説明においては、「前」、「後」、「上」、「下」、「右」、及び「左」は、犬から見た方向で定義された図１から図９における定義に従う。
【００１２】
図１は、犬用保冷体１０を装着した犬１を前側から示す図である。
図２は、犬用保冷体１０を装着した犬１を左側から示す図である。
図３は、犬用保冷体１０を装着した犬１を左上側から示す図である。
図４は、犬用保冷体１０を装着した犬１を右後上側から示す図である。
図５は、犬１に装着された状態の犬用保冷体１０単体を上側から示す図である。
図６は、犬用保冷体１０の前面を示す図である。
図７は、犬用保冷体１０の後面を示す図である。
図８は、犬用保冷体１０の特に収納部１１を上側から示す図である。
図９は、犬用保冷体１０の特に収納部１１を上側から示す他の図である。
【００１３】
犬用保冷体１０は、収納部１１と、右帯状部１２（第１帯状部）と、左帯状部１３（第２帯状部）と、を有している。収納部１１は、装着対象である犬１への装着時において、犬１の首元３の胸部２に配置される部分である。右帯状部１２及び左帯状部１３は、収納部１１から延びた形状となっており、犬１の首元３から背中４側に回された後、さらに腹部５側から前方へ回り込んで収納部１１の下縁部１６で係止される。
【００１４】
図１に示すように、収納部１１は、装着時において犬１の首元３側に保持される上縁部１５と、犬１の右前足６と左前足７との間に保持される下縁部１６と、を有している。また、図６及び図７に示すように、収納部１１は、装着時において前側に面する前面１７と、前面１７と逆側の後側に面し、装着時において犬１の胸部２に略密着する密着面としての後面と、を有している。収納部１１は、前部材２０と、袋部材２１と、環状ゴム部材２２と、を有している。
【００１５】
前部材２０は、１枚の布やビニール等の種々の素材からなるものであり、前側に面する面は前面１７をなす面である。
【００１６】
袋部材２１は、前部材２０の後側に前部材２０とは別体として配置され、図８及び図９に示すように、上側に保冷材挿入用の挿入口２３を有するポケット２４を有する部材である。袋部材２１は、前部材２０と同じ素材であってもよいし、異なる素材であってもよい。袋部材２１の後側に面する面は、後面１８をなす面である。袋部材２１は、前部材２０と略同一の形状を有しており、少なくとも右端２６（上縁右側）及び左端２７（上縁左側）が前部材２０に縫着されることにより、前部材２０と一体に形成されている。なお、袋部材２１は、収納部１１の上縁部１５以外において前部材２０に縫着されていてもよいし、右端２６及び左端２７のみ右帯状部１２及び左帯状部１３に対して縫着されていてもよい。
【００１７】
環状ゴム部材２２は、図８及び図９に示すように、収納部１１の上縁部１５に引き通されている。環状ゴム部材２２は、第１ゴム部材３１と、第２ゴム部材３２と、を有している。第１ゴム部材３１は、前部材２０の上縁であり、収納部１１の前側の上縁部１５である前縁部３３に引き通されている。第２ゴム部材３２は、袋部材２１の後側の上縁であり、収納部１１の後側の上縁部１５である後縁部３５に引き通される。第２ゴム部材３２は、第１ゴム部材３１と両端部で連結されることで、第１ゴム部材３１とともに１つの環状ゴム部材２２を形成する。これにより、環状ゴム部材２２は、前縁部３３と後縁部３５とで形成される収納部１１の挿入口を伸縮自在に構成している。
【００１８】
収納部１１はまた、特に図６及び図７に示すように、右被係止部３９と、左被係止部４０と、を有している。右被係止部３９及び左被係止部４０は、収納部１１の後面１８の下縁部１６の右側及び左側にそれぞれ設けられる。右被係止部３９は、後述する左係止部４６が係止される、凹のスナップボタンである。左被係止部４０は、後述する右係止部４５が係止される、凹のスナップボタンである。
【００１９】
右帯状部１２は、収納部１１の上端右側に一端４１側が接続された帯状部材である。左帯状部１３は、収納部１１の上端左側に一端４２側が接続された帯状部材である。右帯状部１２及び左帯状部１３の長さは、犬用保冷体１０が使用される犬１の寸法に応じて、適宜設定されればよい。
【００２０】
右帯状部１２及び左帯状部１３は、他端４３、４４側に、右係止部４５（第１係止部）及び左係止部４６（第２係止部）をそれぞれ有する。右係止部４５は、左被係止部４０が係止される、凸のスナップボタンである。左係止部４６は、右被係止部３９が係止される、凸のスナップボタンである。右係止部４５及び左係止部４６は、右帯状部１２及び左帯状部１３の長さ方向の複数個所（本実施形態においては２箇所）に、それぞれ配置されている。
【００２１】
左帯状部１３は、裏面（犬１に面する面）の右帯状部１２と交差する位置に、ベルト通し４７を有する。ベルト通し４７両端部が左帯状部１３に縫い付けられており、少なくとも右帯状部１２を通すことが可能な通し部分を有している。
【００２２】
次に、本実施形態における犬用保冷体１０の装着方法について説明する。
【００２３】
まず、収納部１１の袋部材２１のポケット２４に、保冷材が収納される。このとき、第２ゴム部材３２を片手で引き下げ、挿入口２３を開くことにより、保冷材を収納することができるため、ユーザ（飼い主等）の手に対する圧迫感が少なく、また挿入口２３にファスナーを設けたり単なる折り畳みとしたりすることにより挿入口２３を略閉じ状態とする構造に比べて保冷材の出し入れ作業が容易である。
【００２４】
次に、ユーザにより犬用保冷体１０が保持され、収納部１１の密着面である後面１８が犬１の首元３の胸部２に配置されつつ、各帯状部１２、１３が犬１の首元３から背中４側に回される。このとき、右帯状部１２は、左帯状部１３のベルト通し４７に通される。右帯状部１２の他端４３側が、後側へ延ばされて犬１の背中４を越えて、さらに犬１の左前足７の付け根の後側近傍を通される。最終的に、犬１の左前足７と右前足６との間へと這い回されて、右係止部４５が収納部１１の後面１８の下縁部１６において左被係止部４０に係止される。
【００２５】
同様に、左帯状部１３の他端４４側が、後方へ延ばされて犬１の背中４を越えて、右帯状部１２と交差した後（図３及び図４参照）、さらに犬１の右前足６の付け根の後側近傍を通される。最終的に、犬１の右前足６と左前足７へと這い回されて、左係止部４６が収納部１１の後面１８の下縁部１６において右被係止部３９に係止される。これにより、犬用保冷体１０は、右係止部４５が左被係止部４０に係止されるとともに、左係止部４６が右被係止部３９に係止された係止状態となる。
【００２６】
右係止部４５及び左係止部４６は、右帯状部１２及び左帯状部１３の長さ方向に沿って複数個所にそれぞれ設けられているため、いずれの係止部４５、４６を用いるかによって、係止状態における右帯状部１２及び左帯状部１３の長さを調節することができる。これにより、装着する犬１の体格が大きいか小さいかに応じて、適切な締め付けにより装着することができる。
【００２７】
＜本実施形態の効果＞
上記のように構成した本実施形態においては、以下の効果を奏する。
【００２８】
すなわち、収納部１１の上縁部１５からの２つの右帯状部１２及び左帯状部１３が背中４から腹部５を回りこんで収納部１１の下縁部１６に戻ることで、収納部１１が犬１の胸部２に確実に静置され、収納部１１の上縁部１５が犬１の首元３に保持される。また、収納部１１の下縁部１６は、両足の間に保持され、かつ後面１８は犬１の胸部２に略密着する。これにより、ポケット２４に入れた保冷材によって、暑い季節でも犬１に確実に冷涼感を与えることができる。
【００２９】
このとき、前述のように２つの右帯状部１２及び左帯状部１３が背中４側で交差して反対側へ回り込む構成であることにより、走ったり駆けまわったり等の犬１の種々の姿勢にも柔軟に対応しつつ、犬１の胸部２に対し効果的に保冷材の冷涼感を与えることができる。また、上記構成により、比較的少ない締め付けで装着することができるので、犬１が嫌がることがなく簡単に装着及び取り外しを行うことができ、さらに首だけに巻いたベルトで保冷材を保持する構造に比べ、犬１の首にかかる荷重を軽くでき、犬１にとっての負担を軽減することができる。
【００３０】
また、本実施形態では特に、収納部１１の前縁部３３（上縁部１５）に第１ゴム部材３１が引き通されていることにより、犬１の首元３において収納部１１をキュッと締めた形状とすることができる。これにより、さらに確実に収納部１１を胸部２へ密着でき、保冷材からの冷涼感を与えることができる。
【００３１】
またその際、第１ゴム部材３１に連結する第２ゴム部材３２を設け、１つの環状ゴム部材２２を形成することにより、ポケット２４内に対し飼い主が保冷材を出し入れするときのみ第２ゴム部材３２を伸ばして挿入口２３を開き、それ以外は第２ゴム部材３２を縮短させて挿入口２３を略閉じ状態とすることができる。これにより、挿入口２３にファスナーを設けたり単なる折り畳みにしたりして挿入口２３を略閉じ状態とする構造に比べ、飼い主が保冷材を出し入れするときにおいて手に対する圧迫感が少ない。
【００３２】
また、本実施形態では特に、収納部１１に、もともと単独でポケット２４の構造を有する袋部材２１を、前部材２０に縫着で取り付けている。これにより、収納部１１のポケット２４の構造の複雑化を招くことなく、簡単な縫着（取付）作業で収納部１１にポケット２４を形成することができる。
【００３３】
また、本実施形態では特に、右帯状部１２及び左帯状部１３には、長さ方向に沿って複数個所に右係止部４５及び左係止部４６を設けた。これにより、右係止部４５及び左係止部４６のうち、いずれの係止部を用いるかによって、収納部１１の上縁部１５から背中４を回って収納部１１の下縁部１６までの、右帯状部１２及び左帯状部１３の延設距離を増減することができる。ゆえに、装着する犬１の体格が大きいか小さいかに応じて、適切な締め付けにより装着することができる。
【００３４】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００３５】
また、以上既に述べた以外にも、上記実施形態や各変形例による手法を適宜組み合わせて利用しても良い。
【００３６】
その他、一々例示はしないが、本考案は、その趣旨を逸脱しない範囲内において、種々の変更が加えられて実施されるものである。
【００３７】
例えば、収納部１１を前部材２０とポケット２４を有する袋部材２１との二つの部材で形成したが、収納部１１がポケット２４を有していれば、犬１にとって少ない負担で大きな冷涼感を与えることができるため、どのような構造であってもよい。
【符号の説明】
【００３８】
１                犬
２                胸部
３                首元
４                背中
５                腹部
６                右前足
７                左前足
１０              犬用保冷体
１１              収納部
１２              右帯状部
１３              左帯状部
１５              上縁部
１６              下縁部
１７              前面
１８              後面
２０              前部材
２１              袋部材
２２              環状ゴム部材
２３              挿入口
２４              ポケット
２６              右端
２７              左端
３１              第１ゴム部材
３２              第２ゴム部材
３３              前縁部
３５              後縁部
３９              右被係止部
４０              左被係止部
４１              一端
４２              一端
４３              他端
４４              他端
４５              右係止部
４６              左係止部
４７              ベルト通し
【図１】
0003234101.tif 000003
【図２】
0003234101.tif 000004
【図３】
0003234101.tif 000005
【図４】
0003234101.tif 000006
【図５】
0003234101.tif 000007
【図６】
0003234101.tif 000008
【図７】
0003234101.tif 000009
【図８】
0003234101.tif 000010
【図９】
0003234101.tif 000011